(57)【要約】【課題】  インクタンクの交換作業を容易に行うことのできるレーベルプリント機能搭載ディスク装置を提供する。【解決手段】  レーベルプリント機能を搭載したディスク装置において、レコーダ筐体１内にディスクドライブ部１２０と、このディスクドライブ部１２０のラインヘッドモジュール１１に供給するインク液を貯留するインクタンクを着脱自在に保持するインクタンクホルダ部１３とを分離して配置し、レコーダ筐体１の前面に、インクタンクホルダ部１３にインクタンクセット１２を挿抜するためのインクタンク挿抜口１４を設ける。【選択図】図２
2007185859.tif 000002
【特許請求の範囲】
【請求項１】
ディスク状記録媒体を駆動して記録を行うディスクドライブ部と、
前記ディスクドライブ部を収容する筐体と、
前記筐体に対して前記ディスク状記録媒体を出し入れするための開口と、
前記ディスクドライブ部に設けられ、前記ディスク状記録媒体のレーベル面に印刷を行うプリンタヘッド部と、
前記プリンタヘッド部に供給するインク液を貯留するインクタンクを着脱自在に保持するインクタンクホルダ部と、
前記筐体の前記開口が配置された面と共通の面に設けられ、前記インクタンクホルダ部に通じるインクタンク挿抜口と
を具備することを特徴とするレーベルプリント機能搭載ディスク装置。
【請求項２】
前記筐体内で前記ディスクドライブ部と前記インクタンクホルダ部とが分離して配置されていることを特徴とする請求項１に記載のレーベルプリント機能搭載ディスク装置。
【発明の詳細な説明】
【技術分野】
【０００１】
本発明は、追記型や書き替え型のディスク状記録媒体に対する情報の記録または再生を行うディスクドライブに係り、特に、当該ディスク状記録媒体のレーベル面への印刷を行うことが可能なレーベルプリント機能を搭載したレーベルプリント機能搭載ディスク装置に関するものである。
【背景技術】
【０００２】
ＤＶＤ（Ｄｉｇｉｔａｌ  Ｖｅｒｓａｔｉｌｅ  Ｄｉｓｃ）−ＲやＣＤ−Ｒなどの追記型ディスク、ＤＶＤ−ＲＷ、ＣＤ−ＲＷ、ＢＤ（Ｂｌｕ−ｒａｙ  Ｄｉｓｃ：登録商標）−ＲＥなどの書き替え型ディスクなどのディスク状記録媒体へのデータの記録と、ディスク状記録媒体のレーベル面への文字や画像などのプリントを行うことの可能なレーベルプリント機能搭載ディスク装置が知られている（特許文献１および２参照）。プリント方法には、記録・再生用のレーザーを利用する方法や、インクによりプリントする方法などがある。
【特許文献１】特開２００４−７４６６６公報
【特許文献２】特開２００３−１９８２８公報
【発明の開示】
【発明が解決しようとする課題】
【０００３】
ＰＣ（Ｐｅｒｓｏｎａｌ  Ｃｏｍｐｕｔｅｒ）の周辺機器としてのプリンタにおいてはインク交換の方法はかなり簡便化されてきており、インクの交換作業そのものはユーザに大きな負担をかけるものではない。しかしながら、ＤＶＤレコーダなどの民生用装置の場合には、オーディオ用のラックの中に他のＡＶ機器と共に収納される場合や複数の装置が積み重ねて設置される使用状況を想定しなければならない。すなわち、ＰＣ用の周辺機器として用いられるプリンタのように上部からインクタンクやインクカートリッジの交換を行う構造を民生用装置にもそのまま採用すると、交換作業に非常な困難を窮することとなる。同様なことが、ＰＣのハーフハイト拡張ベイに搭載可能なディスクドライブにも言える。
【０００４】
本発明はこのような事情を鑑み、インクタンクの交換作業を容易に行うことのできるレーベルプリント機能搭載ディスク装置を提供することを目的としている。
【課題を解決するための手段】
【０００５】
上記の課題を解決するために、本発明のレーベルプリント機能搭載ディスク装置は、ディスク状記録媒体を駆動して記録を行うディスクドライブ部と、ディスクドライブ部を収容する筐体と、筐体に対してディスク状記録媒体を出し入れするための開口と、ディスクドライブ部に設けられ、ディスク状記録媒体のレーベル面に印刷を行うプリンタヘッド部と、プリンタヘッド部に供給するインク液を貯留するインクタンクを着脱自在に保持するインクタンクホルダ部と、筐体の開口が配置された面と共通の面に設けられ、インクタンクホルダ部に通じるインクタンク挿抜口とを具備することを特徴とする。
【０００６】
この発明によれば、筐体の前面に、インクタンクホルダ部にインクタンクセットを挿抜するためのインクタンク挿抜口を設けたので、インクタンクセットの交換、あるいは個々のインクタンクの交換を正面から容易に行うことができる。
【０００７】
また、本発明において、筐体内でディスクドライブ部とインクタンクホルダ部とが分離して配置することとした。これにより、レーベルプリント機能搭載ディスク装置の全体の厚みを薄くすることができる。
【発明の効果】
【０００８】
本発明のレーベルプリント機能搭載ディスク装置によれば、インクタンクの交換作業を装置の正面から容易に行うことができる。
【発明を実施するための最良の形態】
【０００９】
以下、本発明の実施の形態を図面に基づき説明する。
【００１０】
図１は本発明の第１の実施形態にかかるレーベルプリント機能搭載ディスク装置の記録・再生時の平面図、図２はディスク排出時（但し、ディスクは図示せず）およびレーベルプリント時の平面図、図３は図１のレーベルプリント機能搭載ディスク装置を前面側より見た側面図である。
【００１１】
本実施形態のレーベルプリント機能搭載ディスク装置１００は、装置筐体１内に、たとえばＤＶＤ（Ｄｉｇｉｔａｌ  Ｖｅｒｓａｔｉｌｅ  Ｄｉｓｃ）−ＲやＣＤ−Ｒなどの追記型ディスク、ＤＶＤ−ＲＷ、ＣＤ−ＲＷ、ＢＤ−ＲＥなどの書き替え型ディスクなどのディスク状記録媒体Ｄに対する情報の記録または再生を行うディスクドライブ部１２０を備える。レーベルプリント機能搭載ディスク装置１００に搭載されたレーベルプリント機能とは、ディスク状記録媒体Ｄのデータ記録面とは反対側の面であるレーベル面に文字や画像をインクによりプリントする機能である。
【００１２】
ディスクドライブ部１２０の筐体であるドライブ筐体１ａ内には、ディスク状記録媒体Ｄを保持して駆動するスピンドルモータ（図示せず）、ディスク状記録媒体Ｄのデータ記録面にレーザ光を照射して記録または再生を行う光ピックアップ３、さらには図示は省略したが後述するディスクトレイ５をドライブ筐体１ａの内外を搬送するためのローディング機構などが内蔵されている。光ピックアップ３は一対のガイド軸４，４にディスク状記録媒体Ｄの径方向に搬送可能に支持されている。光ピックアップ３には、一対のガイド軸４，４に沿って自らを搬送駆動するための図示しない送り機構が搭載されている。
【００１３】
ディスクトレイ５は、上記のローディング機構によって装置筐体１およびドライブ筐体１ａの内外を出し入れ可能なように設けられている。ディスクトレイ５の上面には、ディスク状記録媒体Ｄの外形に適合するディスク搭載凹部６が形成され、ディスクトレイ５はこのディスク搭載凹部６にディスク状記録媒体Ｄをそのデータ記録面を裏向きにセットした状態で搬送される。また、ディスクトレイ５のディスク搭載凹部６には、ディスクトレイ５の裏側からスピンドルモータの駆動軸の先端に取り付けられたディスク保持部２の挿入を可能にし、かつ光ピックアップ３の少なくとも対物レンズ部分をディスクトレイ５に搭載されたディスク状記録媒体Ｄのデータ記録面に対して開口するための穴部８が設けられている。
【００１４】
なお、ディスク保持部２は、ドライブ筐体１ａの天板部に回転自在に取り付けられたクランプ部材（図示せず）との間で、ディスク状記録媒体Ｄのセンター穴の周辺部を挟持してディスク状記録媒体Ｄを保持するものである。ディスク保持部２とクランプ部材とはたとえばマグネットなどの結合手段によって結合される。
【００１５】
ディスクトレイ５はローディング機構によって装置筐体１およびドライブ筐体１ａ内に引き込まれ（ローディング）、全体が収容される。このディスクトレイ５のローディング動作と連動して、スピンドルモータが駆動軸の軸方向に一定量移動する。これにより、スピンドルモータのディスク保持部２がディスクトレイ５の穴部８を通り抜け、ディスクトレイ５のディスク搭載凹部６にセットされているディスク状記録媒体Ｄのセンター穴の周辺面と当接してディスク搭載凹部６からディスク状記録媒体Ｄを若干量押し上げ、クランプ部材との間でディスク状記録媒体Ｄを保持する。この状態でスピンドルモータを起動させることによってディスク状記録媒体Ｄが回転され、光ピックアップ３からレーザ光を出射してディスク状記録媒体Ｄのデータ記録面に集光させることによって、ディスク状記録媒体Ｄに対してデータの記録または再生が行われる。
【００１６】
また、ディスクトレイ５はローディング機構によって装置筐体１およびドライブ筐体１ａ内から引き出される（アンローディング）。ドライブ筐体１ａの前面側は全開口となっており、このドライブ筐体１ａの開口の位置に合わせて、装置筐体１にもディスクトレイ５を出し入れするための開口９が設けられている。ディスクトレイ５のアンローディング動作と連動して、スピンドルモータが駆動軸の軸方向にローディング時とは逆方向に一定量移動する。これにより、ディスク保持部２とクランプ部材とによるディスク状記録媒体Ｄの保持が解除され、ディスク状記録媒体Ｄはディスクトレイ５のディスク搭載凹部６に収まる。ディスク状記録媒体Ｄがディスクトレイ５のディスク搭載凹部６に収まった後もディスクトレイ５のアンローディングは継続され、最終的に装置筐体１から排出され、ディスクトレイ５のディスク搭載凹部６からディスク状記録媒体Ｄを取り出すことが可能になる。
【００１７】
装置筐体１の一側面（前面）には、ディスクトレイ５を出し入れするための開口９と、ディスクトレイ５の出し入れに連動して上記の開口９を開閉する扉１０が設けられている。さらに、このディスクトレイ５を出し入れするための開口９の隣には、装置筐体１内に設けられたインクタンクホルダ部１３に対して、たとえば４色のインク液を貯留するインクタンクセット１２を挿抜するためのインクタンク挿抜口１４が設けられている。
【００１８】
次に、このレーベルプリント機能搭載ディスク装置１００に搭載されたレーベルプリント機能の構成を説明する。
【００１９】
ドライブ筐体１ａのディスクトレイ５を出し入れするための開口９の近傍にはプリンタヘッドを搭載したラインヘッドモジュール１１が配置されている。ラインヘッドモジュール１１は、自身に搭載されたプリンタヘッドのヘッド面が、ドライブ筐体１ａおよび装置筐体１から引き出されたディスクトレイ５に搭載されたディスク状記録媒体Ｄのレーベル面と対向するように配置されている。ラインヘッドモジュール１１のプリンタヘッドはディスク状記録媒体Ｄの直径に相当する印字有効幅を有しており、ディスクトレイ５の一回の出し入れ（ローディングあるいはアンローディング）により、ディスク状記録媒体Ｄのレーベル面の全面に印刷を行うことができる。すなわち、このレーベルプリント機能搭載ディスク装置１００においては、ディスクトレイ５のローディングあるいはアンローディングによってディスク状記録媒体Ｄとラインヘッドモジュール１１のプリンタヘッドとを相対的に移動させることで、ディスク状記録媒体Ｄのレーベル面への印刷を行うことができる。
【００２０】
インクタンクホルダ部１３にはインク導入部１６が併設されている。このインク導入部１６は、インクタンクホルダ部１３にセットされたインクタンクセット１２からインク液を導入して、インク誘導用パイプ１７を通じてラインヘッドモジュール１１にインク液を供給するためのモジュールである。インク誘導用パイプ１７は４色のインクタンクセット１２の各色のインク液を個別に伝達可能なように４本または４本以上の屈曲可能なパイプを束ねて周囲に被覆をして見かけ上一本のパイプとしたものである。
【００２１】
インク導入部１６の端部にはパイプ連結部１８を介して上記のインク誘導用パイプ１７の一端が連結されている。インク誘導用パイプ１７の他端はパイプ連結部２０を介してラインヘッドモジュール１１と連結されている。
【００２２】
次に、インクタンクホルダ部１３へのインクタンクセット１２の着脱構造を説明する。図４はインクタンクセット１２の装着時の着脱構造を示す平面図とこれを前面から見た側面図、図５はインクタンクセット１２の挿抜中の着脱構造を示す平面図とこれを前面から見た側面図である。
【００２３】
このインクタンクホルダ部１３は、インク導入部１６、Ｘ軸方向押圧部材１５、Ｙ軸方向ストッパ部材２１、ロック部材２３によって、インクタンクセット１２を四方より取り囲むように構成される。インク導入部１６には、インクタンクセット１２の個々のインクタンク１２ａ，１２ｂ，１２ｃ，１２ｄのインク吐出口２２ａ，２２ｂ，２２ｃ，２２ｄと連結するインク注入口１６ａ，１６ｂ，１６ｃ，１６ｄを有する。なお、インクタンクセット１２の各インクタンク１２ａ，１２ｂ，１２ｃ，１２ｄは個別に交換可能なように着脱自在とされている。
【００２４】
Ｘ軸方向押圧部材１５は、インク導入部１６と平行に配され、軸２４にＲ１−Ｌ１方向に回動自在に支持されている。Ｘ軸方向押圧部材１５のインク導入部１６に対する対向面には極率面１５ａが形成されている。このＸ軸方向押圧部材１５のＲ１方向への回動に伴う極率面１５ａの変位によって、インクタンクホルダ部１３に挿入されたインクタンクセット１２が押圧され、コイルバネなどの弾性部材２８からの反発力に抗しつつインク導入部１６へ向けて僅かに変位する。これにより、インクタンクセット１２の各々のインク吐出口２２ａ，２２ｂ，２２ｃ，２２ｄがインク導入部１６の対応するインク注入口１６ａ，１６ｂ，１６ｃ，１６ｄにそれぞれ嵌って連結される。
【００２５】
Ｙ軸方向ストッパ部材２１は、インクタンクホルダ部１３の最奥部に配置され、インクタンクホルダ部１３に挿入されたインクタンクセット１２の先端面を受ける部材である。Ｙ軸方向ストッパ部材２１はＹ軸方向に一定の距離Ｌだけ進退自在に支持されており、挿入されたインクタンクセット１２からの押圧を受けて距離Ｌだけ後退して、インクタンクセット１２のＹ軸方向の装着位置を決める。
【００２６】
このＹ軸方向ストッパ部材２１の変位は、ギア機構２５によってＸ軸方向押圧部材１５およびロック部材２３を回動させる動きに変換される。ギア機構２５の構造としては、たとえば、Ｙ軸方向ストッパ部材２１の変位をラックギアを通じて、互いに歯数の異なる２つの平ギアの回転量に変換し、その一方の平ギアの回転を軸２４を通じてＸ軸方向押圧部材１５に伝達し、他方の平ギアの回転を軸２６を通じてロック部材２３に伝達するというようなものが挙げられる。もちろん、ギア機構２５の具体的な構造は上記のものに限定されず、同様の作用を生むものであれば、いかなる構造を採用してもよい。
【００２７】
ロック部材２３は、ギア機構２５によって回転される軸２６の一端に支持されている。ロック部材２３はインクタンクホルダ部１３に挿入されたインクタンクセット１２が抜けないようにロックするための部材である。そして、このロック部材２３は、インクタンクホルダ部１３に挿入されたインクタンクセット１２の化粧パネル部２７の前面を押えてインクタンクセット１２をロックする回転位置と、ロックを解除する回転位置との間を回動される。
【００２８】
このレーベルプリント機能搭載ディスク装置１００では、装置筐体１の前面に、インクタンクホルダ部１３にインクタンクセット１２を挿抜するためのインクタンク挿抜口１４を設けたので、インクタンクセット１２の交換、あるいは個々のインクタンク１２ａ，１２ｂ，１２ｃ，１２ｄの交換を容易に行うことができる。
【００２９】
インクタンクセット１２の交換、あるいは個々のインクタンク１２ａ，１２ｂ，１２ｃ，１２ｄの交換は次のような手順で行われる。
【００３０】
ロック部材２３に指などを引っかけてＬ２の方向に回動させる。ロック部材２３の回転は軸２４、ギア機構２５を介してＹ軸方向ストッパ部材２１に伝達され、Ｙ軸方向ストッパ部材２１は一定の距離Ｌだけ前面側へ移動する。これと共に、Ｘ軸方向押圧部材１５が軸２４を中心にＬ１方向に一定量回動し、Ｘ軸方向押圧部材１５によるインクタンクセット１２のＸ軸方向への押圧が解除されることによって、インクタンクセット１２は弾性部材２８の力でＸ軸方向押圧部材１５の方向へ押し戻される。このときインクタンクセット１２の各インク吐出口２２ａ，２２ｂ，２２ｃ，２２ｄがインク導入部１６の各インク注入口１６ａ，１６ｂ，１６ｃ，１６ｄから引き離される程度の距離だけＸ軸方向押圧部材１５の方向へ押し戻される。これによってインクタンクセット１２が前面側へ一定の距離Ｌだけ移動し、装置筐体１の前面側のインクタンク挿抜口１４より突出した状態となる。したがって、ユーザはインクタンクセット１２を指で摘んで手前に引き出すことで、インクタンクホルダ部１３から抜き取ることができる。
【００３１】
新しいインクタンクセット１２を装着する場合の動作は、抜き取り時とほぼ逆の動作となる。すなわち、装置筐体１の前面側のインクタンク挿抜口１４よりインクタンクホルダ部１３内にインクタンクセット１２を挿入する。挿入を進めて行くとインクタンクセット１２の先端面がＹ軸方向ストッパ部材２１に当接する。そのままさらに挿入を進めて行くと、Ｙ軸方向ストッパ部材２１が一定の距離Ｌだけ奥へ移動する。Ｙ軸方向ストッパ部材２１が一定の距離Ｌだけ移動する間に、このＹ軸方向ストッパ部材２１の変位は、ギア機構２５によって、Ｘ軸方向押圧部材１５をＲ１の方向へ一定量回動させるとともに、ロック部材２３をＲ２の方向へ一定量回動させる動きに変換される。これによって、インクタンクホルダ部１３内に挿入されたインクタンクセット１２はＸ軸方向押圧部材１５の極率面１５ａによってＸ軸方向に押圧されることでインク導入部１６の側へシフトされ、インクタンクセット１２の各インク吐出口２２ａ，２２ｂ，２２ｃ，２２ｄがインク導入部１６の各インク注入口１６ａ，１６ｂ，１６ｃ，１６ｄにそれぞれ嵌って連結される。また、ロック部材２３は、インクタンクホルダ部１３に挿入されたインクタンクセット１２の化粧パネル部２７の前面を押えてインクタンクセット１２をロックする回転位置に定位する。以上で、インクタンクセット１２の交換作業が終了となる。
【００３２】
上記の実施形態では、装置筐体１の前面の、ディスクトレイ５を出し入れするための開口９に対して横並びにインクタンク挿抜口１４を設けたが、ディスクトレイ５を出し入れするための開口９に対して縦並びにインクタンク挿抜口１４を設けるようにしてもよい。
【００３３】
また、本発明は、第１の実施形態で説明した民生用機器であるディスクレコーダのみならず、たとえば、図６に示すように、ＰＣ１３０のハーフハイト拡張ベイ、クォーターハイト拡張ベイなどの別々の拡張ベイ１３１、１３２に装着されるディスクドライブ１３３とインクタンクモジュール１３４とのセットにも応用可能である。
【００３４】
この応用例において、ディスクドライブ１３３には、第１の実施形態で説明したディスクドライブ部１２０の構成が採用される。インクタンクモジュール１３４の前面１３６には、インクタンクセット１３５を筐体の内外に出し入れするためのインクタンク挿抜口１３７が設けられている。このインクタンクセット１３５の出し入れはモータの動力を用いて行われ、たとえば、インクタンクモジュール１３４の前面に設けられたスイッチ１３８を操作することによって電気的な制御のもとで行われる。インクタンクモジュール１３４とディスクドライブ１３３との間には、インクタンクセット１３５のインク液をディスクドライブ１３３のラインヘッドモジュールへ伝達するためのチューブ１３９が接続されている。
【００３５】
このように、ＰＣ１３０の拡張ベイ１３１、１３２に装着されるディスクドライブ１３３とインクタンクモジュール１３４とのセットにおいても、インクタンクモジュール１３４の筐体１３７の前面にインクタンク挿抜口１３８を設けたことで、インクタンクセット１３５の交換作業を容易に行うことができる。
【００３６】
なお、本発明は、上述の実施形態にのみ限定されるものではなく、本発明の要旨を逸脱しない範囲内において種々変更を加え得ることは勿論である。
【００３７】
たとえば、インクタンクホルダ部１３へのインクタンクセット１２の着脱構造は、上記のものに限定されず、公知の様々な構造のものに変更してもよい。
【図面の簡単な説明】
【００３８】
【図１】本発明の第１の実施形態にかかるレーベルプリント機能搭載ディスク装置の記録・再生時の平面図。
【図２】図１のレーベルプリント機能搭載ディスク装置のディスク排出時およびレーベルプリント時の平面図。
【図３】図１のレーベルプリント機能搭載ディスク装置を前面側より見た側面図。
【図４】インクタンクセットの装着時の着脱構造を示す平面図とこれを前面から見た側面図。
【図５】インクタンクセットの挿抜中の着脱構造を示す平面図とこれを前面から見た側面図。
【図６】本発明をＰＣの拡張ベイに装着されるディスクドライブとインクタンクモジュールとのセットに応用した例を示す図。
【符号の説明】
【００３９】
１      装置筐体
１ａ      ドライブ筐体
２      ディスク保持部
３      光ピックアップ
５      ディスクトレイ
９      開口
１０      扉
１１      ラインヘッドモジュール
１２      インクタンクセット
１３      インクタンクホルダ部
１４      インクタンク挿抜口
１００      レーベルプリント機能搭載ディスク装置
１２０      ディスクドライブ部
【図１】
2007185859.tif 000003
【図２】
2007185859.tif 000004
【図３】
2007185859.tif 000005
【図４】
2007185859.tif 000006
【図５】
2007185859.tif 000007
【図６】
2007185859.tif 000008